(57)【要約】【課題】  ケーシングに設けた樹脂材料からなるベルト取付部が損傷した場合でも、圧縮装置の落下を未然に防いで信頼性を向上する。【解決手段】  ケーシング２のベース部材３と一緒に樹脂成型した左，右のベルト取付部５，６に対し、運搬用のショルダベルト１６の両端部を取付けると共に、このショルダベルト１６の両端部を接続するように落下防止用の補助ベルト１７を設ける構成とした。これにより、左，右のベルト取付部５，６を安価に設けることができる上に、例えば左側のベルト取付部５が損傷してベース部材３から分離するようなことがあっても、補助ベルト１７は、ショルダベルト１６と協働して右側のベルト取付部６側でリングを形成し、可搬式空気圧縮装置１の落下を未然に防ぐことができる。【選択図】        図２
2007231815.tif 000002
【特許請求の範囲】
【請求項１】
樹脂材料からなり間隔をもった２箇所にベルト取付部が設けられたケーシングと、長さ方向の端部が該ケーシングの各ベルト取付部にそれぞれ取付けられ運搬者の肩に掛けられるショルダベルトと、該ショルダベルトの両端部側を接続して設けられた落下防止用の補助ベルトとにより構成してなる可搬式重量物。
【請求項２】
樹脂材料からなり間隔をもった２箇所にベルト取付部が設けられたケーシングと、長さ方向の端部が該ケーシングの各ベルト取付部にそれぞれ取付けられ運搬者の肩に掛けられるショルダベルトと、前記ベルト取付部とは異なる前記ケーシングの他の取付部位と該ショルダベルトとの間に設けられた落下防止用の補助ベルトとにより構成してなる可搬式重量物。
【請求項３】
前記ケーシング内には、流体を圧縮する圧縮機を収容する構成としてなる請求項１または２に記載の可搬式重量物。
【発明の詳細な説明】
【技術分野】
【０００１】
本発明は、例えばショルダベルトを肩に掛けて持ち運ぶことができる流体圧縮装置、クーラボックス、工具箱等として用いられる可搬式重量物に関する。
【背景技術】
【０００２】
一般に、圧縮空気を空圧機器等に供給する空気圧縮装置は、流体としての空気を圧縮する圧縮部および該圧縮部を駆動する電動モータからなる圧縮機と、該圧縮機の圧縮部から吐出される圧縮空気を貯留するタンクとによって大略構成されている。
【０００３】
また、昨今の建築現場では、作業の効率化を図るために空圧式の釘打ち機等を使用している。そこで、空気圧縮装置には、建築現場まで運搬することができ、また現場でも容易に移動できるようにした可搬式の空気圧縮装置がある（例えば、特許文献１参照）。
【０００４】
【特許文献１】特開２００３−２５４２３９号公報
【０００５】
この可搬式空気圧縮装置は、タンクの上に圧縮機を取付け、該圧縮機を覆うように例えば樹脂材料からなるカバーを設ける構成としている。また、タンクには、運搬時に掴む把手を取付けている。これにより、把手を掴んで持ち上げることができ、車両への積み降ろし、現場での移動等を行うことができる。
【０００６】
また、空気圧縮装置は、圧縮機、タンク等の金属部品からなる重量物である。このために、容易に運搬することができるように、肩に掛けるショルダベルトを取付けることが考えられる（例えば、特許文献２参照）。
【０００７】
【特許文献２】特開平１１−１９６９２１号公報
【発明の開示】
【発明が解決しようとする課題】
【０００８】
ところで、特許文献２によるショルダベルトを特許文献１の空気圧縮装置に取付けるときには、強度を有する圧縮機、タンク等に対し間隔をもって２個のベルト取付部を固着し、該各ベルト取付部にショルダベルトの両端を取付ける構成とすることが望ましい。しかし、金属部品である圧縮機、タンク等にベルト取付部を固着する場合には、溶接作業やねじ加工等を施す必要があるから、製造コストが嵩んでしまうという問題がある。
【０００９】
そこで、樹脂材料からなるカバーにベルト取付部を一体成型することにより、該ベルト取付部を安価に設けることが考えられる。しかし、樹脂材料からなるカバーに設けたベルト取付部は、衝撃が加えられたり、経年劣化等の影響で損傷する可能性があり、この場合には、ショルダベルトがカバーから外れて空気圧縮装置が落下する虞があるという問題がある。
【００１０】
本発明は上述した従来技術の問題に鑑みなされたもので、本発明の目的は、樹脂材料からなるケーシングに設けたベルト取付部が損傷することがあっても、ケーシングが落下するのを未然に防ぐことができるようにした可搬式重量物を提供することにある。
【課題を解決するための手段】
【００１１】
上述した課題を解決するために、請求項１の発明による可搬式重量物は、樹脂材料からなり間隔をもった２箇所にベルト取付部が設けられたケーシングと、長さ方向の端部が該ケーシングの各ベルト取付部にそれぞれ取付けられ運搬者の肩に掛けられるショルダベルトと、該ショルダベルトの両端部側を接続して設けられた落下防止用の補助ベルトとにより構成している。
【００１２】
また、請求項２の発明による可搬式重量物は、樹脂材料からなり間隔をもった２箇所にベルト取付部が設けられたケーシングと、長さ方向の端部が該ケーシングの各ベルト取付部にそれぞれ取付けられ運搬者の肩に掛けられるショルダベルトと、前記ベルト取付部とは異なる前記ケーシングの他の取付部位と該ショルダベルトとの間に設けられた落下防止用の補助ベルトとにより構成している。
【００１３】
請求項３の発明では、前記ケーシング内には、流体を圧縮する圧縮機を収容する構成としたことにある。
【発明の効果】
【００１４】
請求項１の発明によれば、ケーシングを樹脂成型によって形成するときに２個のベルト取付部を一緒に形成することができ、該各ベルト取付部は、溶接、ねじ加工等の作業を施すことなく、安価に設けることができる。そして、各ベルト取付部に運搬用のショルダベルトの両端を取付けることにより、このショルダベルトを肩に掛けて容易に運搬することができる。
【００１５】
また、ショルダベルトの両端部側を接続して落下防止用の補助ベルトを設けている。これにより、例えばベルト取付部に衝撃が加えられたり、経年劣化等の影響で一方のベルト取付部が損傷するようなことがあっても、補助ベルトは、ショルダベルトと協働して他方のベルト取付部側でリングを形成することができる。
【００１６】
この結果、樹脂材料からなるベルト取付部が損傷するようなことがあっても、補助ベルトとショルダベルトからなるリングを肩に掛けた状態とすることができるから、ケーシングの落下を未然に防ぐことができ、寿命や信頼性を向上することができる。
【００１７】
請求項２の発明によれば、ケーシングを樹脂成型によって形成するときに２個のベルト取付部を一緒に形成することができ、該各ベルト取付部は、溶接、ねじ加工等の作業を施すことなく、安価に設けることができる。そして、各ベルト取付部に運搬用のショルダベルトの両端を取付けることにより、このショルダベルトを肩に掛けて容易に運搬することができる。
【００１８】
また、ショルダベルトとケーシングの取付部位との間に落下防止用の補助ベルトを設けている。これにより、例えばベルト取付部に衝撃が加えられたり、経年劣化等の影響で一方のベルト取付部が損傷するようなことがあっても、補助ベルトは、ショルダベルトの一端側とケーシングの取付部位とを接続しているから、他方のベルト取付部との間でショルダベルトの機能を維持することができる。しかも、一方のベルト取付部が損傷してケーシングから分離したときに生じる衝撃は、他方のベルト取付部とケーシングの取付部位とに分散させることができるから、このときの衝撃によって他方のベルト取付部が損傷するのを防止することができる。
【００１９】
この結果、樹脂材料からなるベルト取付部が損傷するようなことがあっても、補助ベルトによりショルダベルトをケーシングの取付部位に接続することができ、該ショルダベルトを肩に掛けた状態とすることができる。これにより、ケーシングの落下を未然に防ぐことができ、寿命や信頼性を向上することができる。
【００２０】
請求項３の発明によれば、ケーシング内に収容した圧縮機を落下による衝撃から保護することができる。
【発明を実施するための最良の形態】
【００２１】
以下、本発明の実施の形態に係る可搬式重量物として、空気を貯えるタンクを備える形式の可搬式空気圧縮装置を例に挙げ、添付図面に従って詳細に説明する。
【００２２】
まず、図１ないし図４は本発明の第１の実施の形態を示している。図１、図２において、１は第１の実施の形態による可搬式空気圧縮装置を示している。この空気圧縮装置１は、吊下げて運搬できるように薄型に形成されている。また、空気圧縮装置１は、吊下げて運搬するときに使用する後述の把手４とショルダベルト１６とを有している。そして、可搬式空気圧縮装置１は、後述のケーシング２、空気圧縮機８、タンク１２、運搬用のショルダベルト１６、落下防止用の補助ベルト１７等により大略構成されている。
【００２３】
２は可搬式空気圧縮装置１の外形をなすケーシングを示している。このケーシング２は、後述の空気圧縮機８、タンク１２等を収容するものである。そして、ケーシング２は、後述のベース部材３、把手４、左，右のベルト取付部５，６、カバー部材７により構成されている。
【００２４】
３はケーシング２の下側を形成するベース部材を示している。このベース部材３は、図３に示す如く、底板３Ａと該底板３Ａの周縁から上向きに延設された周壁３Ｂとにより、例えばほぼ左，右対称な箱状の容器として形成されている。また、ベース部材３には、運搬時に（各図に示す状態で）上側となる位置にコ字状の凹陥部３Ｃが設けられている。さらに、ベース部材３は、空気圧縮機８、タンク１２等を固定するための十分な強度を得るために、前，後方向、左，右方向に延びる複数のリブ３Ｄを有している。ここで、ベース部材３は、後述の把手４、左，右のベルト取付部５，６と一緒に樹脂材料を用いた成型加工によって形成されている。
【００２５】
４はベース部材３の凹陥部３Ｃに設けられた把手で、該把手４は、空気圧縮装置１を運搬するときに掴むもので、ベース部材３に対し高い取付強度をもって一体形成されている。また、把手４は、左，右方向に延びる円柱体として形成されている。さらに、把手４は、ベルト取付部５，６とは異なるケーシング２の他の取付部位を構成している。
【００２６】
５は把手４の左側に位置してベース部材３の周壁３Ｂの左端部に設けられた左側のベルト取付部を示している。また、６は把手４の右側に位置してベース部材３の周壁３Ｂの右端部に設けられた右側のベルト取付部を示している。これら左，右のベルト取付部５，６は、左，右方向に間隔をもって配置され、樹脂材料を用いた成型加工によりベース部材３、把手４と一体形成されている。また、各ベルト取付部５，６は、左，右方向に突出するＤ字状をなし、ほぼ中央には取付穴５Ａ，６Ａが設けられている。
【００２７】
７はベース部材３に対面して取付けられるカバー部材を示している（図１、図２参照）。このカバー部材７は、空気圧縮機８、タンク１２等を覆うもので、ベース部材３とほぼ同様な箱状の容器として形成されている。
【００２８】
８はケーシング２内に収容された空気圧縮機を示している（図３参照）。この空気圧縮機８は、把手４側に配置され、ベース部材３の底板３Ａに防振ゴム（図示せず）等を介して取付けられている。また、空気圧縮機８は、左，右方向の左側に位置してクランクケース９Ａに低圧側シリンダ９Ｂと高圧側シリンダ９Ｃとが対向して設けられた圧縮部９と、該圧縮部９の右側に取付けられたモータ部１０と、該モータ部１０の右側に取付けられた冷却ファン１１等とにより大略構成されている。そして、空気圧縮機８は、モータ部１０によって圧縮部９を駆動することにより、低圧側シリンダ９Ｂ、高圧側シリンダ９Ｃの順で空気を２段圧縮し、高圧な圧縮空気を後述のタンク１２側に供給するものである。
【００２９】
１２は把手４と反対側に位置してベース部材３の底板３Ａに設けられたタンクを示している。このタンク１２は、空気圧縮機８の圧縮部９から吐出される圧縮空気を貯留するもので、略円筒状の密閉容器として形成されている。また、タンク１２は、圧縮部９の高圧側シリンダ９Ｃの吐出口（図示せず）に接続されている。
【００３０】
なお、１３はタンク１２の左側に取付けられた低圧用の空気圧調整器、１４はタンク１２の右側に取付けられた高圧用の空気圧調整器、１５は空気圧縮機８のモータ部１０を制御する制御装置をそれぞれ示している。
【００３１】
次に、１６はケーシング２に取付けられた運搬用のショルダベルトを示している。このショルダベルト１６は、図１、図２に示す如く、可搬式空気圧縮装置１を運搬するときに運搬者の肩Ｓ等に掛けるもので、例えば幅広な帯、バンド、ワイヤ、鎖、紐等のいずれかの材料を用いて形成されている。また、ショルダベルト１６は、所定の幅寸法をもった帯状に形成され、長さ方向の両端部にリング部材１６Ａが取付けられている。そして、ショルダベルト１６は、両端部のリング部材１６Ａ，１６Ａがリング状フック１６Ｂを介してケーシング２のベルト取付部５，６に着脱可能に取付けられている。
【００３２】
１７はショルダベルト１６の両端部側を接続して設けられた第１の実施の形態による落下防止用の補助ベルトを示している。この補助ベルト１７は、例えばベルト取付部５，６に衝撃が加えられたり、経年劣化等の影響でベルト取付部５，６が損傷するようなことがあった場合に、可搬式空気圧縮装置１が落下するのを防止するものである。また、落下防止用の補助ベルト１７は、ショルダベルト１６の両端に設けられたリング部材１６Ａに取付けられた左，右のフック１７Ａと、該各フック１７Ａを接続する連結部１７Ｂとにより構成されている。この連結部１７Ｂは、例えば幅広な帯、バンド、ワイヤ、鎖、紐等のいずれかの材料を用いて形成されている。
【００３３】
そして、落下防止用の補助ベルト１７は、ショルダベルト１６の両端のリング部材１６Ａを接続した状態とする。これにより、図４に示す如く、例えば左側のベルト取付部５が損傷してベース部材３から分離した場合に、補助ベルト１７は、ショルダベルト１６と協働して右側のベルト取付部６側でリングを形成するものである。このリングによりショルダベルト１６を肩Ｓに掛けたまたの状態で維持することができる。
【００３４】
第１の実施の形態による可搬式空気圧縮装置１は、上述の如き構成を有するもので、次に、運搬して使用するまでの動作について説明する。
【００３５】
この可搬式空気圧縮装置１は２種類の方法で持ち運ぶことができる。まず、把手４を用いた運搬方法では、把手４を片手で掴んで持ち上げることにより、空気圧縮装置１を片手で吊下げた状態で運搬することができる。このときには、空いている片方の手で釘打ち機等の道具類を運搬することもできるから、道具類を置いてある場所から道具類を使用する場所までの間を何回も往復することなく、短時間で運搬作業を終了することができる。
【００３６】
また、ショルダベルト１６を用いた運搬方法では、図１、図２に示す如く、ショルダベルト１６の長さ方向の中間部を肩Ｓに掛けることにより、重量のある空気圧縮機８、タンク１２等を収容したケーシング２を容易に持ち上げて軽く運搬することができる。しかも、ショルダベルト１６を用いた運搬方法では、両方の手が空いているから、把手４を用いた運搬方法よりも多くの道具類を運ぶことができる。
【００３７】
ここで、ショルダベルト１６を取付けているベルト取付部５，６は、ケーシング２のベース部材３と一緒に樹脂成型されたものである。このため、ベルト取付部５，６は、例えば雑な取扱いで衝撃が加えられたり、経年劣化等の影響を受けて損傷することも考えられる。
【００３８】
しかし、第１の実施の形態では、落下防止用の補助ベルト１７を、ショルダベルト１６の両端のリング部材１６Ａを接続した状態で設けている。従って、図４に示す如く、例えば左側のベルト取付部５が損傷してベース部材３から分離するようなことがあっても、補助ベルト１７は、ショルダベルト１６と協働して右側のベルト取付部６側でリングを形成することができ、可搬式空気圧縮装置１の落下を未然に防ぐことができる。また、右側のベルト取付部６が損傷してベース部材３から分離した場合でも、同様にして可搬式空気圧縮装置１の落下を未然に防ぐことができる。
【００３９】
次に、可搬式空気圧縮装置１を圧縮運転するときには、制御装置１５から空気圧縮機８のモータ部１０に給電して圧縮部９を駆動する。このときに圧縮部９では、低圧側シリンダ９Ｂが外気を吸込んで圧縮し、この圧縮空気を高圧側シリンダ９Ｃに供給する。これにより、高圧側シリンダ９Ｃは、高圧な圧縮空気を吐出しタンク１２に貯留する。
【００４０】
このように構成した第１の実施の形態によれば、ケーシング２のベース部材３と左，右のベルト取付部５，６とを樹脂材料を用いた成型加工によって一体に設ける構成としたから、ショルダベルト１６の両端部のリング部材１６Ａをリング状フック１６Ｂを介してベルト取付部５，６に取付けることができる。これにより、金属製の空気圧縮機８、タンク１２等にベルト取付部を設けるときに必要な溶接、ねじ加工等の作業を省略することができるから、左，右のベルト取付部５，６を安価に設けることができる。
【００４１】
しかも、ショルダベルト１６には、両端部のリング部材１６Ａを接続するように落下防止用の補助ベルト１７を設ける構成としている。従って、図４に示す如く、例えば左側のベルト取付部５が損傷してベース部材３から分離するようなことがあっても、補助ベルト１７は、ショルダベルト１６と協働して右側のベルト取付部６側でリングを形成することができ、重量のある空気圧縮機８、タンク１２等を収容したケーシング２の落下を未然に防ぐことができる。
【００４２】
この結果、各ベルト取付部５，６を樹脂材料を用いた成型加工により安価に形成した上で、このベルト取付部５，６が万が一に損傷するようなことがあっても、落下防止用の補助ベルト１７は、ショルダベルト１６と協働して可搬式空気圧縮装置１の落下を未然に防ぐことができる。これにより、ケーシング２、空気圧縮機８等の損傷を防止でき、寿命や信頼性を向上することができる。
【００４３】
また、落下防止用の補助ベルト１７は、両端部をフック１７Ａとしているから、ショルダベルトの両端側にリング部材、穴等を備えているものであれば、他の可搬式圧縮装置にも容易に適用することができる。
【００４４】
次に、図５および図６は本発明の第２の実施の形態を示し、本実施の形態の特徴は、落下防止用の補助ベルトの両端をショルダベルトの端部側に縫付ける構成としたことにある。なお、第２の実施の形態では、前述した第１の実施の形態と同一の構成要素に同一の符号を付し、その説明を省略するものとする。
【００４５】
図５において、２１はショルダベルト１６の両端部側を接続して設けられた第２の実施の形態による落下防止用の補助ベルトを示している。この補助ベルト２１は、第１の実施の形態による補助ベルト１７とほぼ同様に、ベルト取付部５，６が損傷するようなことがあった場合に、可搬式空気圧縮装置１が落下するのを防止するものである。
【００４６】
そして、落下防止用の補助ベルト２１は、例えばショルダベルト１６に用いたものとほぼ同様のベルトからなり、図６に示す如く、その両端部がショルダベルト１６の両端部側に縫付けられている。
【００４７】
かくして、このように構成された第２の実施の形態でも、第１の実施の形態とほぼ同様の作用効果を得ることができる。特に、本実施の形態によれば、落下防止用の補助ベルト２１は、単一のベルトの両端部をショルダベルト１６に縫付けているだけであるから、部品点数を少なくでき、容易かつ安価に設けることができる。
【００４８】
次に、図７および図８は本発明の第３の実施の形態を示し、本実施の形態の特徴は、落下防止用の補助ベルトの両端をショルダベルトの端部側に面ファスナを用いて取付ける構成としたことにある。なお、第３の実施の形態では、前述した第１の実施の形態と同一の構成要素に同一の符号を付し、その説明を省略するものとする。
【００４９】
図７において、３１はショルダベルト１６の両端部側を接続して設けられた第３の実施の形態による落下防止用の補助ベルトを示している。この補助ベルト３１は、第１の実施の形態による補助ベルト１７とほぼ同様に、ベルト取付部５，６が損傷するようなことがあった場合に、可搬式空気圧縮装置１が落下するのを防止するものである。そして、落下防止用の補助ベルト３１は、例えばショルダベルト１６に用いたものとほぼ同様のベルト３１Ａと、該ベルト３１Ａの端部とショルダベルト１６の両端部側との間にそれぞれ設けられた面ファスナ３１Ｂとにより構成されている。
【００５０】
ここで、面ファスナ３１Ｂは、図８に示す如く、ショルダベルト１６の両端部側に固着されたループ部３１Ｂ1と、ベルト３１Ａの両端部に固着されたフック部３１Ｂ2とからなり、ループ部３１Ｂ1とフック部３１Ｂ2とは着脱可能に接合することができる。また、面ファスナ３１Ｂの接合力は、重量物である可搬式空気圧縮装置１が落下したときの衝撃に耐えることができるように設定されている。
【００５１】
かくして、このように構成された第３の実施の形態でも、第１の実施の形態とほぼ同様の作用効果を得ることができる。特に、本実施の形態によれば、落下防止用の補助ベルト３１は、ベルト３１Ａと面ファスナ３１Ｂとにより構成しているから、安価に製造することができる上に、汚れたり、損傷したときには容易に交換することができる。
【００５２】
次に、図９ないし図１１は本発明の第４の実施の形態を示し、本実施の形態の特徴は、ベルト取付部とは異なるケーシングの他の取付部位とベルトとの間に落下防止用の補助ベルトを設ける構成としたことにある。なお、第４の実施の形態では、前述した第１の実施の形態と同一の構成要素に同一の符号を付し、その説明を省略するものとする。
【００５３】
図９において、４１はベース部材３の凹陥部３Ｃに設けられた第４の実施の形態による把手を示している。この把手４１は、第１の実施の形態による把手４とほぼ同様に、空気圧縮装置１を運搬するときに掴むもので、ベース部材３の他の取付部位として一体形成されている。また、把手４１は、左，右方向に延びる円柱体として形成され、長さ方向（左，右方向）の両側部位には径方向に貫通して取付穴４１Ａがそれぞれ設けられている。
【００５４】
４２はショルダベルト１６の左側のリング部材１６Ａと把手４１の左側の取付穴４１Ａとの間に設けられた落下防止用の左側補助ベルトを示している。また、４３はショルダベルト１６の右側のリング部材１６Ａと把手４１の右側の取付穴４１Ａとの間に設けられた落下防止用の右側補助ベルトを示している。これら第４の実施の形態による補助ベルト４２，４３は、第１の実施の形態による補助ベルト１７とほぼ同様に、ベルト取付部５，６が損傷するようなことがあった場合に、可搬式空気圧縮装置１が落下するのを防止するものである。
【００５５】
そして、左側補助ベルト４２は、把手４１の左側の取付穴４１Ａに取付けられたＤ字金具４２Ａと、該Ｄ字金具４２Ａとショルダベルト１６の左側のリング部材１６Ａとにそれぞれ取付けられた２個のフック４２Ｂと、該各フック４２Ｂを接続する連結部４２Ｃとにより構成されている。同様に、右側補助ベルト４３は、Ｄ字金具４３Ａ、２個のフック４３Ｂおよび連結部４３Ｃにより構成されている。
【００５６】
そして、落下防止用の各補助ベルト４２，４３は、ショルダベルト１６の両端のリング部材１６Ａを他の取付部位となる把手４１に接続した状態とする。これにより、図１１に示す如く、例えば左側のベルト取付部５が損傷してベース部材３から分離したとしても、左側補助ベルト４２は、ショルダベルト１６の左端部を把手４１に接続しているから、ショルダベルト１６を肩Ｓに掛けた状態を保持することができる。また、右側のベルト取付部６が損傷した場合には、右側補助ベルト４３によりショルダベルト１６の右端部を把手４１に接続することができる。
【００５７】
かくして、このように構成された第４の実施の形態でも、第１の実施の形態とほぼ同様の作用効果を得ることができる。特に、本実施の形態によれば、例えば左側のベルト取付部５がベース部材３から分離したときに生じる衝撃を、右側のベルト取付部６と把手４１とに分散させることができるから、可搬式空気圧縮装置１の落下をより確実に防止することができる。
【００５８】
また、運搬用の把手４１は、十分な強度をもって設計しているから、把手４１を利用して各補助ベルト４２，４３を取付けることができ、落下防止機能をより確実なものにすることができる。
【００５９】
次に、図１２および図１３は本発明の第５の実施の形態を示し、本実施の形態の特徴は、落下防止用の補助ベルトをリング状金具を用いて把手に取付ける構成としたことにある。なお、第５の実施の形態では、前述した第１の実施の形態と同一の構成要素に同一の符号を付し、その説明を省略するものとする。
【００６０】
図１２において、５１はショルダベルト１６の左側のリング部材１６Ａと把手４との間に設けられた落下防止用の左側補助ベルトを示している。また、５２はショルダベルト１６の右側のリング部材１６Ａと把手４との間に設けられた落下防止用の右側補助ベルトを示している。これら第５の実施の形態による補助ベルト５１，５２は、第１の実施の形態による補助ベルト１７とほぼ同様に、ベルト取付部５，６が損傷するようなことがあった場合に、可搬式空気圧縮装置１が落下するのを防止するものである。
【００６１】
そして、左側補助ベルト５１は、図１２、図１３に示すように、把手４を囲んで取付けられたリング状金具５１Ａと、該リング状金具５１Ａとショルダベルト１６の左側のリング部材１６Ａとにそれぞれ取付けられた２個のフック５１Ｂと、該各フック５１Ｂを接続する連結部５１Ｃとにより構成されている。同様に、右側補助ベルト５２は、リング状金具５２Ａ、２個のフック５２Ｂおよび連結部５２Ｃにより構成されている。
【００６２】
かくして、このように構成された第５の実施の形態でも、第４の実施の形態とほぼ同様の作用効果を得ることができる。特に、本実施の形態によれば、補助ベルト５１，５２のリング状金具５１Ａ，５２Ａは、把手４の周囲を自由に移動することができるから、把手４を掴むときに邪魔にならない位置に移動させることができる。
【００６３】
次に、図１４および図１５は本発明の第６の実施の形態を示し、本実施の形態の特徴は、落下防止用の補助ベルトを面ファスナを用いて把手に取付ける構成としたことにある。なお、第６の実施の形態では、前述した第１の実施の形態と同一の構成要素に同一の符号を付し、その説明を省略するものとする。
【００６４】
図１４において、６１はショルダベルト１６の左側のリング部材１６Ａと把手４との間に設けられた落下防止用の左側補助ベルトを示している。また、６２はショルダベルト１６の右側のリング部材１６Ａと把手４との間に設けられた落下防止用の右側補助ベルトを示している。これら第６の実施の形態による補助ベルト６１，６２は、第１の実施の形態による補助ベルト１７とほぼ同様に、ベルト取付部５，６が損傷するようなことがあった場合に、可搬式空気圧縮装置１が落下するのを防止するものである。
【００６５】
そして、左側補助ベルト６１は、ベルト６１Ａと、該ベルト６１Ａの一端部と把手４の左寄り外周部との間に設けられた把手側面ファスナ６１Ｂと、前記ベルト６１Ａの他端部とショルダベルト１６の左端部側との間に設けられたベルト側面ファスナ６１Ｃとにより構成されている。
【００６６】
ここで、把手側面ファスナ６１Ｂは、図１５に示すように、把手４の外周に固着されたループ部６１Ｂ1と、ベルト６１Ａの一端部に固着されたフック部６１Ｂ2とからなり、ループ部３１Ｂ1とフック部３１Ｂ2とは着脱可能に接合することができる。また、ベルト側面ファスナ６１Ｃは、第３の実施の形態による面ファスナ３１Ｂと同様に形成されている。同様に、右側補助ベルト６２は、ベルト６２Ａ、把手側面ファスナ６２Ｂ、ベルト側面ファスナ６２Ｃにより構成されている。
【００６７】
かくして、このように構成された第６の実施の形態でも、第４、第５の実施の形態とほぼ同様の作用効果を得ることができる。
【００６８】
次に、図１６は本発明の第７の実施の形態を示し、本実施の形態の特徴は、ケーシングの構造から取付強度が高くなる側には落下防止用の補助ベルトを設けず、比較的に取付強度が低くなる側だけに落下防止用の補助ベルトを設ける構成としたことにある。なお、第７の実施の形態では、前述した第１の実施の形態と同一の構成要素に同一の符号を付し、その説明を省略するものとする。
【００６９】
まず、ベース部材３に対する左側のベルト取付部５と右側のベルト取付部６の取付強度について詳しく説明する。このベース部材３は、前述した図３に示すように、左側のベルト取付部５の近傍に圧縮部９の低圧側シリンダ９Ｂを配置しているから、この位置には補強用のリブ３Ｄを形成することができない。これに対し、ベース部材３の右側には、冷却ファン１１が設けられているだけであるから、右側のベルト取付部６に連なるように補強用のリブ３Ｄを形成することができる。従って、右側のベルト取付部６は、左側のベルト取付部５よりも取付強度が高くなるから、衝撃や経年劣化で損傷するとしたら左側のベルト取付部５の可能性が高くなる。そこで、第７の実施の形態では、ショルダベルトの左端部側と把手との間だけに落下防止用の補助ベルトを設ける構成としている。
【００７０】
図１６において、７１はベース部材３の凹陥部３Ｃに設けられた第７の実施の形態による把手を示している。この把手７１は、第１の実施の形態による把手４とほぼ同様に、ベース部材３の取付部位として一体形成され、長さ方向の左側部位には径方向に貫通して取付穴７１Ａが設けられている。
【００７１】
７２はショルダベルト１６の左側のリング部材１６Ａと把手７１の取付穴７１Ａとの間に設けられた落下防止用の補助ベルトを示している。この第７の実施の形態による補助ベルト７２は、第１の実施の形態による補助ベルト１７とほぼ同様に、ベルト取付部５，６が損傷するようなことがあった場合に、可搬式空気圧縮装置１が落下するのを防止するものである。
【００７２】
そして、第７の実施の形態による補助ベルト７２は、第４の実施の形態による左側補助ベルト４２と同様に、Ｄ字金具７２Ａ、２個のフック７２Ｂおよび連結部７２Ｃにより構成されている。
【００７３】
かくして、このように構成された第７の実施の形態でも、第４ないし第６の実施の形態とほぼ同様の作用効果を得ることができる。特に、本実施の形態では、少ない部品点数、加工工数で可搬式空気圧縮装置１の落下を防止することができる。
【００７４】
なお、第１の実施の形態では、可搬式重量物として可搬式空気圧縮装置１を例に挙げ、ケーシング２内には空気圧縮機８を収容するものとして説明した。しかし、本発明はこれに限るものではなく、クーラボックス、肩掛け式の工具箱等の他の可搬式重量物に用いてもよい。
【００７５】
ここで、他の可搬式重量物として、例えば内部に重量のある食品、飲料品等の物品（図示せず）を収容するクーラボックス８１を用いた変形例について図１７を参照して説明する。
【００７６】
このクーラボックス８１を用いた変形例では、物品を収容するケーシング８２を容器本体８３と蓋体８４とから形成し、前記容器本体８３の左，右両側にベルト取付部８５，８６を設け、該各ベルト取付部８５，８６にショルダベルト１６を取付ける構成とすればよい。この構成は、第２、第３の実施の形態にも同様に適用することができるものである。また、蓋体８４に設けた把手８４Ａを利用することにより、第４ないし第７の実施の形態にも適用することができる。
【００７７】
また、各実施の形態では、左，右のベルト取付部５，６をベース部材３と一体成型した場合を例に挙げて説明した。しかし、本発明はこれに限らず、ベース部材３と別個に左，右のベルト取付部５，６を設け、両者を接着、溶着等の手段を用いて固着する構成としてもよい。
【００７８】
また、第１の実施の形態では、ケーシング２のベース部材３に凹陥部３Ｃを設け、この凹陥部３Ｃを利用して把手４を引込んだ位置に設ける構成とした。しかし、本発明はこれに限らず、例えばケーシングから突出した状態で把手を設ける構成としてもよい。これらの構成は、他の実施の形態にも同様に適用することができるものである。
【００７９】
また、各実施の形態では、空気圧縮機８は、圧縮部９を左側に配置し、モータ部１０を右側に配置し、タンク１２は、運搬するときに空気圧縮機８の下側となる位置に配置した場合を例示した。しかし、本発明はこれに限るものではなく、空気圧縮機８、タンク１２等は、主たる使用目的、形状等に応じてケーシング２内のどの位置に配置する構成としてもよい。
【００８０】
一方、各実施の形態では、ケーシング２内に圧縮空気を貯えるタンク１２を１本収容し、空気圧縮機８に設けられた圧縮部９の高圧側シリンダ９Ｃとタンク１２とを接続する構成とした場合を例に挙げて説明した。しかし、本発明はこれに限らず、例えばケーシング２内のタンク１２を省略し、圧縮部９の高圧側シリンダ９Ｃにホースカップリングを取付ける構成としてもよい。また、ケーシング２内にタンクを２本設ける構成としてもよい。
【００８１】
また、各実施の形態では、圧縮部として水平対向型の２段式空気圧縮装置をなす圧縮部９を例に挙げて説明した。しかし、本発明はこれに限らず、例えば、１段または３段以上の空気圧縮装置を圧縮部として用いてもよく、また、シリンダの配置形態もＶ型等の他の形態としてもよい。
【００８２】
さらに、各実施の形態では、可搬式流体圧縮機として空気を圧縮する空気圧縮装置を例に挙げて説明した。しかし、本発明はこれに限らず、例えば酸素、窒素、冷媒等の流体を圧縮する他の圧縮機に適用してもよい。
【図面の簡単な説明】
【００８３】
【図１】本発明の第１の実施の形態による落下防止用の補助ベルトを備えた可搬式空気圧縮装置を運搬者の肩に掛けた状態で示す運搬状態図である。
【図２】第１の実施の形態に係る可搬式空気圧縮装置を図１中の矢示II−II方向からみた正面図である。
【図３】カバー部材を取外して空気圧縮機、タンク、制御装置等を露出させた状態を示す正面図である。
【図４】左側のベルト取付部がベース部材から分離して落下防止用の補助ベルトが機能している状態を示す動作説明図である。
【図５】本発明の第２の実施の形態による落下防止用の補助ベルトを示す正面図である。
【図６】ショルダベルトに対する補助ベルトの取付状態を図５中の矢示VI−VI方向から示す要部拡大の断面図である。
【図７】本発明の第３の実施の形態による落下防止用の補助ベルトを示す正面図である。
【図８】ショルダベルトと補助ベルトとを分離した状態で示す要部拡大の分解斜視図である。
【図９】本発明の第４の実施の形態による落下防止用の補助ベルトを備えた可搬式空気圧縮装置を示す正面図である。
【図１０】把手に対する補助ベルトの取付状態を図９中の矢示Ｘ−Ｘ方向から示す要部拡大の断面図である。
【図１１】左側のベルト取付部がベース部材から分離して落下防止用の左側補助ベルトが機能している状態を示す動作説明図である。
【図１２】本発明の第５の実施の形態による落下防止用の左，右の補助ベルトを示す正面図である。
【図１３】把手に対する補助ベルトの取付状態を図１２中の矢示XIII−XIII方向から拡大して示す要部拡大の断面図である。
【図１４】本発明の第６の実施の形態による落下防止用の左，右の補助ベルトを示す正面図である。
【図１５】把手に対する補助ベルトの取付状態を示す要部拡大の断面斜視図である。
【図１６】本発明の第７の実施の形態による落下防止用の補助ベルトを備えた可搬式空気圧縮装置を示す正面図である。
【図１７】本発明の変形例によるクーラボックスを示す正面図である。
【符号の説明】
【００８４】
１  可搬式空気圧縮装置（可搬式重量物）
２，８２  ケーシング
３  ベース部材
４，４１，７１，８４Ａ  把手
５，８５  左側のベルト取付部
６，８６  右側のベルト取付部
７  カバー部材
８  空気圧縮機
９  圧縮部
１０  モータ部
１２  タンク
１６  ショルダベルト
１６Ａ  リング部材
１６Ｂ  リング状フック
１７，２１，３１，７２  落下防止用の補助ベルト
４２，５１，６１  落下防止用の左側補助ベルト
４３，５２，６２  落下防止用の右側補助ベルト
８１  クーラボックス（可搬式重量物）
８３  容器本体
８４  蓋体
Ｓ  肩
【図１】
2007231815.tif 000003
【図２】
2007231815.tif 000004
【図３】
2007231815.tif 000005
【図４】
2007231815.tif 000006
【図５】
2007231815.tif 000007
【図６】
2007231815.tif 000008
【図７】
2007231815.tif 000009
【図８】
2007231815.tif 000010
【図９】
2007231815.tif 000011
【図１０】
2007231815.tif 000012
【図１１】
2007231815.tif 000013
【図１２】
2007231815.tif 000014
【図１３】
2007231815.tif 000015
【図１４】
2007231815.tif 000016
【図１５】
2007231815.tif 000017
【図１６】
2007231815.tif 000018
【図１７】
2007231815.tif 000019